(57)【要約】  本発明は、上り信号の各波長を割り当てる各ＯＮＵ１に目標として割り当てた目標帯域の和が、上り信号の各波長に割り当てる帯域を越えないように、上り信号の各波長を各ＯＮＵ１に割り当てる波長割当ステップと、各ＯＮＵ１に実際に割り当てた帯域が、各ＯＮＵ１に目標として割り当てた目標帯域に収束するように、上り信号の各波長において、各ＯＮＵ１から受け付けた複数の要求帯域のうちいずれかの帯域に基づいて、帯域を各ＯＮＵ１に割り当てる帯域割当ステップと、を順に備える。
2013108577.tif 000002
【特許請求の範囲】
【請求項１】
一の局側装置に複数の加入者装置が接続され、前記各加入者装置は予め用意された複数の波長のうちいずれかの波長の上り信号を前記局側装置に送信し、前記局側装置は予め用意された複数の波長のうちいずれの波長の上り信号も前記各加入者装置から受信する受動光通信網において、前記局側装置が行なう波長帯域割当方法であって、
前記各加入者装置が加入している加入サービスクラス及び前記各加入者装置が要求した要求帯域の履歴情報に基づいて、前記各加入者装置に目標として割り当てる目標帯域を計算する目標帯域計算ステップと、
上り信号の各波長を割り当てる前記各加入者装置に目標として割り当てた目標帯域の和が、上り信号の各波長に割り当てる帯域を越えないように、上り信号の各波長を前記各加入者装置に割り当てる波長割当ステップと、
前記各加入者装置に実際に割り当てた帯域が、前記各加入者装置に目標として割り当てた目標帯域に収束するように、上り信号の各波長において、前記各加入者装置から受け付けた複数の要求帯域のうちいずれかの帯域に基づいて、帯域を前記各加入者装置に割り当てる帯域割当ステップと、
を順に備えることを特徴とする波長帯域割当方法。
【請求項２】
前記波長割当ステップは、上り信号の各波長を割り当てる前記各加入者装置に目標として割り当てた目標帯域の和が、上り信号の各波長に対して略均等となるように、上り信号の各波長を前記各加入者装置に割り当てることを特徴とする請求項１に記載の波長帯域割当方法。
【請求項３】
前記波長割当ステップは、実際に割り当てられた帯域から目標として割り当てられた目標帯域を減算した減算帯域を計算し、減算帯域が最も小さい加入者装置及び減算帯域が最も大きい加入者装置に対して、割り当てる上り信号の波長を入れ替えることを特徴とする請求項１又は請求項２に記載の波長帯域割当方法。
【請求項４】
前記波長割当ステップは、実際に割り当てられた帯域から目標として割り当てられた目標帯域を減算した減算帯域を計算し、減算帯域が最も小さい加入者装置に対して、減算帯域が最も大きい加入者装置に割り当てられている上り信号の波長に、割り当てる上り信号の波長を変更することを特徴とする請求項１又は請求項２に記載の波長帯域割当方法。
【請求項５】
前記波長割当ステップは、実際に割り当てられた帯域から目標として割り当てられた目標帯域を減算した減算帯域に関わらず、上り信号の各波長を割り当てる前記各加入者装置に目標として割り当てた目標帯域の和が、上り信号の各波長に割り当てる帯域を越えないように、上り信号の各波長を前記各加入者装置に割り当てることを特徴とする請求項１又は請求項２に記載の波長帯域割当方法。
【請求項６】
前記目標帯域計算ステップ及び前記波長割当ステップは、複数回の帯域割当周期毎に行い、前記帯域割当ステップは、１回の帯域割当周期毎に行うことを特徴とする請求項３から請求項５のいずれかに記載の波長帯域割当方法。
【請求項７】
前記目標帯域計算ステップ、前記波長割当ステップ及び前記帯域割当ステップは、１回の帯域割当周期毎に行うことを特徴とする請求項３から請求項５のいずれかに記載の波長帯域割当方法。
【請求項８】
一の局側装置に複数の加入者装置が接続され、前記各加入者装置は予め用意された複数の波長のうちいずれかの波長の上り信号を前記局側装置に送信し、前記局側装置は予め用意された複数の波長のうちいずれの波長の上り信号も前記各加入者装置から受信する受動光通信網において、前記局側装置に、
前記各加入者装置が加入している加入サービスクラス及び前記各加入者装置が要求した要求帯域の履歴情報に基づいて、前記各加入者装置に目標として割り当てる目標帯域を計算する目標帯域計算手順と、
上り信号の各波長を割り当てる前記各加入者装置に目標として割り当てた目標帯域の和が、上り信号の各波長に割り当てる帯域を越えないように、上り信号の各波長を前記各加入者装置に割り当てる波長割当手順と、
前記各加入者装置に実際に割り当てた帯域が、前記各加入者装置に目標として割り当てた目標帯域に収束するように、上り信号の各波長において、前記各加入者装置から受け付けた複数の要求帯域のうちいずれかの帯域に基づいて、帯域を前記各加入者装置に割り当てる帯域割当手順と、
を順に実行させることを特徴とする波長帯域割当プログラム。
【請求項９】
一の局側装置に複数の加入者装置が接続され、前記各加入者装置は予め用意された複数の波長のうちいずれかの波長の上り信号を前記局側装置に送信し、前記局側装置は予め用意された複数の波長のうちいずれの波長の上り信号も前記各加入者装置から受信する受動光通信網において、前記局側装置に、
前記各加入者装置が加入している加入サービスクラス及び前記各加入者装置が要求した要求帯域の履歴情報に基づいて、前記各加入者装置に目標として割り当てる目標帯域を計算する目標帯域計算手順と、
上り信号の各波長を割り当てる前記各加入者装置に目標として割り当てた目標帯域の和が、上り信号の各波長に割り当てる帯域を越えないように、上り信号の各波長を前記各加入者装置に割り当てる波長割当手順と、
前記各加入者装置に実際に割り当てた帯域が、前記各加入者装置に目標として割り当てた目標帯域に収束するように、上り信号の各波長において、前記各加入者装置から受け付けた複数の要求帯域のうちいずれかの帯域に基づいて、帯域を前記各加入者装置に割り当てる帯域割当手順と、
を順に実行させることを特徴とする波長帯域割当プログラムを記録した記録媒体。
【発明の詳細な説明】
【技術分野】
【０００１】
本発明は、波長多重及び時分割多重を組み合わせたＰＯＮ（Ｐａｓｓｉｖｅ  Ｏｐｔｉｃａｌ  Ｎｅｔｗｏｒｋ）における、波長及び帯域の割り当て方法に関する。
【背景技術】
【０００２】
近年の急速なインターネット普及に伴い、アクセスサービスシステムの大容量化、高度化、経済化が求められている中、それを実現する手段としてＰＯＮの研究が進められている。ＰＯＮとは、光受動素子による光合分波器を用いて、１個の局側装置及び伝送路の一部を複数ユーザで共有することにより、経済化を図る光通信システムである。【０００３】
現在日本では主に、１Ｇｂｐｓの回線容量を最大３２ユーザで時分割多重（ＴＤＭ：Ｔｉｍｅ  Ｄｉｖｉｓｉｏｎ  Ｍｕｌｔｉｐｌｅｘｉｎｇ）によって共有する経済的な光通信システム、ＧＥ−ＰＯＮ（Ｇｉｇａｂｉｔ  Ｅｔｈｅｒｎｅｔ（登録商標）  Ｐａｓｓｉｖｅ  Ｏｐｔｉｃａｌ  Ｎｅｔｗｏｒｋ）が導入されている。これにより、ＦＴＴＨ（Ｆｉｂｅｒ  Ｔｏ  Ｔｈｅ  Ｈｏｍｅ）サービスが現実的な料金で提供されるようになった。【０００４】
また、より大容量のニーズに対応するため、次世代光アクセスシステムとして、総帯域が１０Ｇｂｐｓ級である１０Ｇ−ＥＰＯＮの研究が進められており、２００９年に国際標準化が完了した。これは、送受信器のビットレートを増大させることにより、光ファイバなどの伝送路部分はＧＥ−ＰＯＮと同一のものを利用しながら、大容量化を実現する光通信システムである。【０００５】
さらなる将来には、超高精細映像サービスやユビキタスサービスなど、１０Ｇ級を超える大容量が求められることが考えられるが、単純に送受信器のビットレートを１０Ｇ級から４０／１００Ｇ級に増大させるだけでは、システムアップグレードにかかるコストの増大により、実用化が難しいという課題があった。【０００６】
これを解決する手段として、帯域要求量に応じて局側装置内の送受信器を段階的に増設することができるように、送受信器に波長可変性を付加し、時分割多重（ＴＤＭ）及び波長分割多重（ＷＤＭ：Ｗａｖｅｌｅｎｇｔｈ  Ｄｉｖｉｓｉｏｎ  Ｍｕｌｔｉｐｌｅｘｉｎｇ）を効果的に組み合わせた波長可変型ＷＤＭ／ＴＤＭ−ＰＯＮが報告されている（非特許文献１）。
【先行技術文献】
【非特許文献】
【０００７】
【非特許文献１】Ｈｉｒｏｔａｋａ  Ｎａｋａｍｕｒａ  ｅｔ  ａｌ．，“４０Ｇｂｉｔ／ｓ  λ−ｔｕｎａｂｌｅ  ｓｔａｃｋｅｄ−ＷＤＭ／ＴＤＭ−ＰＯＮ  ｕｓｉｎｇ  ｄｙｎａｍｉｃ  ｗａｖｅｌｅｎｇｔｈ  ａｎｄ  ｂａｎｄｗｉｄｔｈ  ａｌｌｏｃａｔｉｏｎ”，ＯＴｈＴ４．ｐｄｆ，ＯＳＡ／ＯＦＣ／ＮＦＯＥＣ２０１１．
【非特許文献２】Ｍｉｃｈａｅｌ  Ｐ．  ＭｃＧａｒｒｙ  ｅｔ  ａｌ．，“ＷＤＭ  Ｅｔｈｅｒｎｅｔ（登録商標）  Ｐａｓｓｉｖｅ  Ｏｐｔｉｃａｌ  Ｎｅｔｗｏｒｋｓ”，ＩＥＥＥ  Ｏｐｔｉｃａｌ  Ｃｏｍｍｕｎｉｃａｔｉｏｎｓ，５１８−５２５，Ｆｅｂｒｕａｒｙ  ２００６．
【非特許文献３】Ａｈｍａｄ  Ｒ．  Ｄｈａｉｎｉ  ｅｔ  ａｌ．，“Ｄｙｎａｍｉｃ  Ｗａｖｅｌｅｎｇｔｈ  ａｎｄ  Ｂａｎｄｗｉｄｔｈ  Ａｌｌｏｃａｔｉｏｎ  ｉｎ  Ｈｙｂｒｉｄ  ＴＤＭ／ＷＤＭ  ＥＰＯＮ  Ｎｅｔｗｏｒｋｓ”，Ｊｏｕｒｎａｌ  ｏｆ  Ｌｉｇｈｔｗａｖｅ  Ｔｅｃｈｎｏｌｏｇｙ，Ｖｏｌ．２５，Ｎｏ．１，２７７−２８６，Ｊａｎｕａｒｙ，２００７．
【特許文献】
【０００８】
【特許文献１】特開２００３−８７２８１号公報
【発明の概要】
【発明が解決しようとする課題】
【０００９】
このようなＷＤＭ／ＴＤＭ−ＰＯＮを運用するにあたっては、各ＯＮＵ（Ｏｐｔｉｃａｌ  Ｎｅｔｗｏｒｋ  Ｕｎｉｔ：加入者装置）に対してシステムの総帯域を効率良く分配するべく、動的に波長及び帯域を割り当てるアルゴリズムが必要であり、その方法としては既にいくつかの報告が挙がっている（非特許文献２、３）。しかし、報告されている方法では、可変周期の中で可変長の時間スロットを順不同に敷き詰める手法を取っているため、遅延に関する各加入者間の品質差を抑制することが難しいという問題があった。【００１０】
これを解決するためには、特許文献１で報告されているＤＢＡ（Ｄｙｎａｍｉｃ  Ｂａｎｄｗｉｄｔｈ  Ａｌｌｏｃａｔｉｏｎ：動的帯域割当）のように、各ＯＮＵから大小２種類の要求帯域を受け付け、固定周期の中で大半のＯＮＵには小さい要求帯域と等しい帯域を与え、ごく一部のＯＮＵにのみ大きい要求帯域と等しい帯域を与える、という方法（複数リクエスト方式ＤＢＡ）が有効であると考えられる。なぜなら、各固定周期に必ず１度は最低限の帯域が与えられることが保証されているので、あるＯＮＵがある周期に帯域を割り当てられてから次の周期に再び帯域を割り当てられるまでの待ち時間遅延が、固定周期の時間未満に抑えられるからである。【００１１】
従来技術の複数リクエスト方式の動的帯域割当方法を図１及び図２に示す。小さい要求帯域とは、図１に記載の閾値を超えずかつフレームを途中で分断しない最大のフレーム量である。大きい要求帯域とは、バッファに蓄積された全フレーム量である。第１のＤＢＡ周期では、ＯＮＵ１−１、１−２、１−３が小さい要求帯域と等しい帯域を与えられており、ＯＮＵ１−４が大きい要求帯域と等しい帯域を与えられている。第２のＤＢＡ周期では、ＯＮＵ１−１、１−２、１−４が小さい要求帯域と等しい帯域を与えられており、ＯＮＵ１−３が大きい要求帯域と等しい帯域を与えられている。第３のＤＢＡ周期では、ＯＮＵ１−１、１−３、１−４が小さい要求帯域と等しい帯域を与えられており、ＯＮＵ１−２が大きい要求帯域と等しい帯域を与えられている。第４のＤＢＡ周期では、ＯＮＵ１−２、１−３、１−４が小さい要求帯域と等しい帯域を与えられており、ＯＮＵ１−１が大きい要求帯域と等しい帯域を与えられている。【００１２】
ＯＮＵ１−４が与えられている帯域の時間変化において、第１のＤＢＡ周期では、大きい要求帯域と等しい帯域Ｂ１を与えられており、第２、３、４のＤＢＡ周期では、小さい要求帯域と等しい帯域Ｂ２、Ｂ３、Ｂ４を与えられており、以降のＤＢＡ周期では、第１−第４のＤＢＡ周期と同様の処理が繰り返される。ＯＮＵ１−１、１−２、１−３が与えられている帯域の時間変化は、ＯＮＵ１−４が与えられている帯域の時間変化と同様である。これにより、実際に割り当てられた帯域である累積平均帯域が、目標として割り当てられた帯域である目標帯域に、複数のＤＢＡ周期を経るにつれて収束するようになる。【００１３】
しかし、従来技術の複数リクエスト方式の動的帯域割当方法は、単一波長である時分割多重ＰＯＮの帯域割り当てアルゴリズムなので、動的にＯＮＵの送信波長を変更させてＯＮＵの収容ＬＣ（Ｌｉｎｅ  Ｃａｒｄ）を変更させることができない。【００１４】
そこで、前記課題を解決するために、本発明は、ＷＤＭ／ＴＤＭ−ＰＯＮにおいて、遅延に関する各ＯＮＵ間の品質差を抑制しつつ、複数の波長の総帯域を各ＯＮＵへ有効に割り当て可能とする動的波長帯域割り当てを実現するための、複数リクエスト方式を用いた動的波長帯域割当方法を提供することを目的とする。
【課題を解決するための手段】
【００１５】
上り信号の各波長を割り当てる各加入者装置に目標として割り当てた目標帯域の和が、上り信号の各波長に割り当てる帯域を越えないように、上り信号の各波長を各加入者装置に割り当てることとした。そして、各加入者装置に実際に割り当てた帯域が、各加入者装置に目標として割り当てた目標帯域に収束するように、上り信号の各波長において、各加入者装置から受け付けた複数の要求帯域のうちいずれかの帯域に基づいて、帯域を各加入者装置に割り当てることとした。【００１６】
具体的には、本発明は、一の局側装置に複数の加入者装置が接続され、前記各加入者装置は予め用意された複数の波長のうちいずれかの波長の上り信号を前記局側装置に送信し、前記局側装置は予め用意された複数の波長のうちいずれの波長の上り信号も前記各加入者装置から受信する受動光通信網において、前記局側装置が行なう波長帯域割当方法であって、前記各加入者装置が加入している加入サービスクラス及び前記各加入者装置が要求した要求帯域の履歴情報に基づいて、前記各加入者装置に目標として割り当てる目標帯域を計算する目標帯域計算ステップと、上り信号の各波長を割り当てる前記各加入者装置に目標として割り当てた目標帯域の和が、上り信号の各波長に割り当てる帯域を越えないように、上り信号の各波長を前記各加入者装置に割り当てる波長割当ステップと、前記各加入者装置に実際に割り当てた帯域が、前記各加入者装置に目標として割り当てた目標帯域に収束するように、上り信号の各波長において、前記各加入者装置から受け付けた複数の要求帯域のうちいずれかの帯域に基づいて、帯域を前記各加入者装置に割り当てる帯域割当ステップと、を順に備えることを特徴とする波長帯域割当方法である。【００１７】
また、本発明は、一の局側装置に複数の加入者装置が接続され、前記各加入者装置は予め用意された複数の波長のうちいずれかの波長の上り信号を前記局側装置に送信し、前記局側装置は予め用意された複数の波長のうちいずれの波長の上り信号も前記各加入者装置から受信する受動光通信網において、前記局側装置に、前記各加入者装置が加入している加入サービスクラス及び前記各加入者装置が要求した要求帯域の履歴情報に基づいて、前記各加入者装置に目標として割り当てる目標帯域を計算する目標帯域計算手順と、上り信号の各波長を割り当てる前記各加入者装置に目標として割り当てた目標帯域の和が、上り信号の各波長に割り当てる帯域を越えないように、上り信号の各波長を前記各加入者装置に割り当てる波長割当手順と、前記各加入者装置に実際に割り当てた帯域が、前記各加入者装置に目標として割り当てた目標帯域に収束するように、上り信号の各波長において、前記各加入者装置から受け付けた複数の要求帯域のうちいずれかの帯域に基づいて、帯域を前記各加入者装置に割り当てる帯域割当手順と、を順に実行させることを特徴とする波長帯域割当プログラムである。【００１８】
また、本発明は、一の局側装置に複数の加入者装置が接続され、前記各加入者装置は予め用意された複数の波長のうちいずれかの波長の上り信号を前記局側装置に送信し、前記局側装置は予め用意された複数の波長のうちいずれの波長の上り信号も前記各加入者装置から受信する受動光通信網において、前記局側装置に、前記各加入者装置が加入している加入サービスクラス及び前記各加入者装置が要求した要求帯域の履歴情報に基づいて、前記各加入者装置に目標として割り当てる目標帯域を計算する目標帯域計算手順と、上り信号の各波長を割り当てる前記各加入者装置に目標として割り当てた目標帯域の和が、上り信号の各波長に割り当てる帯域を越えないように、上り信号の各波長を前記各加入者装置に割り当てる波長割当手順と、前記各加入者装置に実際に割り当てた帯域が、前記各加入者装置に目標として割り当てた目標帯域に収束するように、上り信号の各波長において、前記各加入者装置から受け付けた複数の要求帯域のうちいずれかの帯域に基づいて、帯域を前記各加入者装置に割り当てる帯域割当手順と、を順に実行させることを特徴とする波長帯域割当プログラムを記録した記録媒体である。【００１９】
この構成によれば、ＷＤＭ／ＴＤＭ−ＰＯＮにおいて、遅延に関する各ＯＮＵ間の品質差を抑制しつつ、複数の波長の総帯域を各ＯＮＵへ有効に割り当て可能とする動的波長帯域割り当てを実現するための、複数リクエスト方式を用いた動的波長帯域割当方法を提供することができる。【００２０】
また、本発明は、前記波長割当ステップは、上り信号の各波長を割り当てる前記各加入者装置に目標として割り当てた目標帯域の和が、上り信号の各波長に対して略均等となるように、上り信号の各波長を前記各加入者装置に割り当てることを特徴とする波長帯域割当方法である。【００２１】
この構成によれば、上り信号の各波長の利用効率を略均等にすることができる。【００２２】
また、本発明は、前記波長割当ステップは、実際に割り当てられた帯域から目標として割り当てられた目標帯域を減算した減算帯域を計算し、減算帯域が最も小さい加入者装置及び減算帯域が最も大きい加入者装置に対して、割り当てる上り信号の波長を入れ替えることを特徴とする波長帯域割当方法である。【００２３】
この構成によれば、遅延に関する各ＯＮＵ間の品質差を簡便に抑制することができる。【００２４】
また、本発明は、前記波長割当ステップは、実際に割り当てられた帯域から目標として割り当てられた目標帯域を減算した減算帯域を計算し、減算帯域が最も小さい加入者装置に対して、減算帯域が最も大きい加入者装置に割り当てられている上り信号の波長に、割り当てる上り信号の波長を変更することを特徴とする波長帯域割当方法である。【００２５】
この構成によれば、遅延に関する各ＯＮＵ間の品質差を簡便に抑制することができる。【００２６】
また、本発明は、前記波長割当ステップは、実際に割り当てられた帯域から目標として割り当てられた目標帯域を減算した減算帯域に関わらず、上り信号の各波長を割り当てる前記各加入者装置に目標として割り当てた目標帯域の和が、上り信号の各波長に割り当てる帯域を越えないように、上り信号の各波長を前記各加入者装置に割り当てることを特徴とする波長帯域割当方法である。【００２７】
この構成によれば、遅延に関する各ＯＮＵ間の品質差を確実に抑制することができる。【００２８】
また、本発明は、前記目標帯域計算ステップ及び前記波長割当ステップは、複数回の帯域割当周期毎に行い、前記帯域割当ステップは、１回の帯域割当周期毎に行うことを特徴とする波長帯域割当方法である。【００２９】
この構成によれば、動的波長割当を複数回の帯域割当周期毎に行うことができる。【００３０】
また、本発明は、前記目標帯域計算ステップ、前記波長割当ステップ及び前記帯域割当ステップは、１回の帯域割当周期毎に行うことを特徴とする波長帯域割当方法である。【００３１】
この構成によれば、動的波長割当を１回の帯域割当周期毎に行うことができる。
【発明の効果】
【００３２】
本発明は、ＷＤＭ／ＴＤＭ−ＰＯＮにおいて、遅延に関する各ＯＮＵ間の品質差を抑制しつつ、複数の波長の総帯域を各ＯＮＵへ有効に割り当て可能とする動的波長帯域割り当てを実現するための、複数リクエスト方式を用いた動的波長帯域割当方法を提供することができる。
【図面の簡単な説明】
【００３３】
【図１】従来技術の複数リクエスト方式の動的帯域割当方法を示す図である。
【図２】従来技術の複数リクエスト方式の動的帯域割当方法を示す図である。
【図３】本発明の光通信システムの構成を示す図である。
【図４】本発明の加入者装置の構成を示す図である。
【図５】本発明の動的波長割当方法を示す図である。
【図６】本発明の動的波長割当方法を示す図である。
【図７】実施形態１の波長帯域割当方法を示すフローチャートである。
【図８】実施形態１の波長帯域割当方法を示すフローチャートである。
【図９】実施形態１の波長帯域割当方法を示す図である。
【図１０】実施形態２の波長帯域割当方法を示すフローチャートである。
【図１１】実施形態２の波長帯域割当方法を示す図である。
【発明を実施するための形態】
【００３４】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００３５】
（光通信システムの概要）
本発明の光通信システムの構成を図３に示す。光通信システムは、ＯＮＵ１−１、１−２、・・・、１−ｎ、ＯＬＴ（Ｏｐｔｉｃａｌ  Ｌｉｎｅ  Ｔｅｒｍｉｎａｌ）２、伝送路５−１、５−２、・・・、５−ｎ、スプリッタ６及び伝送路７から構成される。ＯＮＵ１−１、１−２、・・・、１−ｎは、それぞれ伝送路５−１、５−２、・・・、５−ｎに接続される。ＯＬＴ２は、伝送路７に接続されて、ＯＮＵ１−１、１−２、・・・、１−ｎの間で共用される。スプリッタ６は、伝送路５−１、５−２、・・・、５−ｎ、７に接続されて、ＯＮＵ１−１、１−２、・・・、１−ｎの間で共用される。
【００３６】
ＯＬＴ２は、動的波長帯域割当回路３及びＬＣ４−１、・・・、４−ｍから構成される。動的波長帯域割当回路３は、帯域要求信号受信部３１、送信許可信号送信部３２、波長切替指示信号送信部３３及び波長帯域割当算出部３４から構成される。ＬＣ４−１、・・・、４−ｍは、それぞれ波長λ１、・・・、λｍの信号を送受信する。帯域要求信号受信部３１は、各ＯＮＵ１から複数の要求帯域を受け付ける。送信許可信号送信部３２は、波長帯域割当算出部３４が算出した割当帯域に基づいて、各ＯＮＵ１に送信許可信号を送信する。波長切替指示信号送信部３３は、波長帯域割当算出部３４が算出した割当波長に基づいて、各ＯＮＵ１に波長切替指示信号を送信する。
【００３７】
波長帯域割当算出部３４は、各ＯＮＵ１が加入している加入サービスクラス及び各ＯＮＵ１が要求した要求帯域の履歴情報に基づいて、各ＯＮＵ１に目標として割り当てる目標帯域を計算する。そして、波長帯域割当算出部３４は、上り信号の各波長を割り当てる各ＯＮＵ１に目標として割り当てた目標帯域の和が、上り信号の各波長に割り当てる帯域を越えないように、上り信号の各波長を各ＯＮＵ１に割り当てる。さらに、波長帯域割当算出部３４は、各ＯＮＵ１に実際に割り当てた帯域が、各ＯＮＵ１に目標として割り当てた目標帯域に収束するように、上り信号の各波長において、各ＯＮＵ１から受け付けた複数の要求帯域のうちいずれかの帯域に基づいて、帯域を各ＯＮＵ１に割り当てる。
【００３８】
本発明の加入者装置の構成を図４に示す。ＯＮＵ１は、パケットデータ受信部１１、容量カウンタ部１２、バッファメモリ部１３、容量管理部１４、帯域要求部１５、パケットデータ送信部１６、波長変更指示信号受信部１７及び波長切替部１８から構成される。
【００３９】
パケットデータ受信部１１は、要求元から上りパケットデータを受信する。容量カウンタ部１２は、上りパケットデータの容量をカウントする。バッファメモリ部１３は、上りパケットデータを一時的に記憶する。容量管理部１４は、上りパケットデータの容量をパケット単位で管理する。帯域要求部１５は、閾値を超えずかつフレームを途中で分断しない最大のフレーム量である小さい要求帯域を算出し、バッファメモリ部１３に蓄積された全フレーム量である大きい要求帯域を算出し、小さい要求帯域及び大きい要求帯域を要求する。パケットデータ送信部１６は、ＯＬＴ２に上りパケットデータを送信し、ＯＬＴ２に小さい要求帯域及び大きい要求帯域を送信する。波長変更指示信号受信部１７は、ＯＬＴ２から波長切替指示信号を受信する。波長切替部１８は、波長切替指示信号に基づいて、パケットデータ送信部１６の送信波長を切り替える。
【００４０】
波長帯域割当算出部３４が、各ＯＮＵ１が加入している加入サービスクラス及び各ＯＮＵ１が要求した要求帯域の履歴情報に基づいて、各ＯＮＵ１に目標として割り当てる目標帯域を計算する手順について、以下に概略を説明する。
【００４１】
波長帯域割当算出部３４は、各ＯＮＵ１の加入サービスクラスに応じた保証帯域を保証するように、各ＯＮＵ１からＯＬＴ２への上り信号の複数の波長を決定する。そして、波長帯域割当算出部３４は、決定した複数の波長が有する全帯域を、各ＯＮＵ１の加入サービスクラスに応じてＯＮＵ１に基準帯域として分配し、加入サービスクラスが同一である各ＯＮＵ１の基準帯域を同一とする。
【００４２】
波長帯域割当算出部３４は、各ＯＮＵ１の履歴情報における要求帯域及び基準帯域の差分を計算し、基準帯域が履歴情報における要求帯域より余剰である各ＯＮＵ１に対する余剰帯域及び履歴情報における要求帯域が基準帯域より過剰である各ＯＮＵ１に対する過剰帯域を計算する。そして、波長帯域割当算出部３４は、基準帯域が履歴情報における要求帯域より余剰である各ＯＮＵ１に対する余剰帯域を、履歴情報における要求帯域が基準帯域より過剰である各ＯＮＵ１に対して分配する。このように計算された帯域が、各ＯＮＵ１に目標として割り当てられる目標帯域となる。
【００４３】
波長帯域割当算出部３４が、上り信号の各波長を割り当てる各ＯＮＵ１に目標として割り当てた目標帯域の和が、上り信号の各波長に割り当てる帯域を越えないように、上り信号の各波長を各ＯＮＵ１に割り当てる手順について、以下に説明する。
【００４４】
本発明の動的波長割当方法を図５及び図６に示す。波長帯域割当算出部３４は、図５の左側に示したように、各ＯＮＵ１の目標帯域を番号順に列挙する。波長帯域割当算出部３４は、図５の右側に示したように、各ＯＮＵ１の目標帯域を降順に整理する。図６の上から第１段に示したように、ＬＣ４−１、４−２が利用されるものとする。
【００４５】
波長帯域割当算出部３４は、図６の上から第２段に示したように、ＯＮＵ１−１にＬＣ４−１を割り当て、ＯＮＵ１−５にＬＣ４−２を割り当て、ＯＮＵ１−２にＬＣ４−１を割り当て、ＯＮＵ１−７にＬＣ４−２を割り当てる。波長帯域割当算出部３４は、図６の上から第３段に示したように、ＯＮＵ１−３にＬＣ４−２を割り当て、ＯＮＵ１−８にＬＣ４−１を割り当てる。波長帯域割当算出部３４は、図６の上から第４段に示したように、ＯＮＵ１−６にＬＣ４−２を割り当て、ＯＮＵ１−４にＬＣ４−１を割り当てる。
【００４６】
つまり、波長帯域割当算出部３４は、上り信号の各波長を割り当てる各ＯＮＵ１に目標として割り当てた目標帯域の和が、上り信号の各波長に対して略均等となるように、上り信号の各波長を各ＯＮＵ１に割り当てる。そして、波長帯域割当算出部３４は、ＯＮＵ１の目標帯域が大きい順序で、空きが最も大きくかつ番号が最も若いＬＣ４に、各ＯＮＵ１を収容する。ただし、波長帯域割当算出部３４は、上り信号の各波長を割り当てる各ＯＮＵ１に目標として割り当てた目標帯域の和が、上り信号の各波長に対して略均等となるならば、ランダムな収容方法や他の規則的な収容方法を採用してもよい。
【００４７】
（実施形態１）
実施形態１では、目標帯域の計算及び波長の割り当ては、複数回の帯域割当周期毎に行い、帯域の割り当ては、１回の帯域割当周期毎に行う。実施形態１の波長帯域割当方法のフローチャートを図７及び図８に示す。実施形態１の波長帯域割当方法を図９に示す。
【００４８】
波長帯域割当算出部３４は、各ＯＮＵ１を検出し、各ＯＮＵ１の加入サービスクラスへの加入状況を把握する（ステップＳ１）。波長帯域割当算出部３４は、各ＯＮＵ１の加入サービスクラス及び要求帯域の履歴情報に基づいて、各ＯＮＵ１の目標帯域を計算する（ステップＳ２）。波長帯域割当算出部３４は、上り信号の波長を各ＯＮＵ１に割り当てる（ステップＳ３）。波長切替指示信号送信部３３は、上り信号の波長について各ＯＮＵ１に変更の指示をする（ステップＳ４）。
【００４９】
帯域要求信号受信部３１は、複数の要求帯域を各ＯＮＵ１から受け付ける（ステップＳ５）。波長帯域割当算出部３４は、上り信号の各波長において、大きい要求帯域と等しい帯域を１つのＯＮＵ１に割り当て、小さい要求帯域と等しい帯域を他のＯＮＵ１に割り当てる（ステップＳ６）。送信許可信号送信部３２は、上り信号の各波長において、大きい要求帯域と等しい帯域を１つのＯＮＵ１に通知し、小さい要求帯域と等しい帯域を他のＯＮＵ１に通知する（ステップＳ７）。つまり、複数リクエスト方式の動的帯域割当方法が、ＬＣ４−１、４−２においてそれぞれ行なわれる。
【００５０】
ステップＳ５〜Ｓ７が一定数の帯域割当周期だけ繰り返されていないときには（ステップＳ８においてＮＯ）、ステップＳ５〜Ｓ７を繰り返す。ステップＳ５〜Ｓ７が一定数の帯域割当周期だけ繰り返されているときについて説明する（ステップＳ８においてＹＥＳ）。波長帯域割当算出部３４は、各ＯＮＵ１の加入サービスクラス及び要求帯域の履歴情報に基づいて、各ＯＮＵ１の目標帯域を再び計算する（ステップＳ９）。波長帯域割当算出部３４は、上り信号の波長を各ＯＮＵ１に再び割り当てる（ステップＳ１０）。波長切替指示信号送信部３３は、上り信号の波長について各ＯＮＵ１に再び変更の指示をする（ステップＳ１１）。そして、ステップＳ５〜Ｓ７を繰り返す。
【００５１】
ここで、ステップＳ１０において、実際に割り当てられた累積帯域から目標として割り当てられた目標帯域を減算した減算帯域を計算し、減算帯域が最も小さいＯＮＵ１（つまり、最も損をしているＯＮＵ１）及び減算帯域が最も大きいＯＮＵ１（つまり、最も得をしているＯＮＵ１）に対して、割り当てる上り信号の波長を入れ替えてもよい。これにより、遅延に関する各ＯＮＵ１間の品質差を簡便に抑制することができる。
【００５２】
そして、ステップＳ１０において、実際に割り当てられた累積帯域から目標として割り当てられた目標帯域を減算した減算帯域を計算し、減算帯域が最も小さいＯＮＵ１（つまり、最も損をしているＯＮＵ１）に対して、減算帯域が最も大きいＯＮＵ１（つまり、最も得をしているＯＮＵ１）に割り当てられている上り信号の波長に、割り当てる上り信号の波長を変更してもよい。これにより、遅延に関する各ＯＮＵ１間の品質差を簡便に抑制することができる。
【００５３】
さらに、ステップＳ１０において、実際に割り当てられた累積帯域から目標として割り当てられた目標帯域を減算した減算帯域に関わらず、上り信号の各波長を割り当てる各ＯＮＵ１に目標として割り当てた目標帯域の和が、上り信号の各波長に割り当てる帯域を越えないように、上り信号の各波長を各ＯＮＵ１に割り当ててもよい。これにより、遅延に関する各ＯＮＵ１間の品質差を確実に抑制することができる。
【００５４】
図９では、１回目のＬＣ４及びＯＮＵ１の紐付け変更において、ＯＮＵ１−１、１−２、１−３、１−４がＬＣ４−１に収容され、ＯＮＵ１−５、１−６、１−７、１−８がＬＣ４−２に収容される。そして、２回目のＬＣ４及びＯＮＵ１の紐付け変更において、ＯＮＵ１−１、１−３、１−６、１−８がＬＣ４−１に収容され、ＯＮＵ１−２、１−４、１−５、１−７がＬＣ４−２に収容される。このように、ＬＣ４及びＯＮＵ１の紐付け変更において、ＬＣ４−１、４−２からそれぞれ複数のＯＮＵ１が移動してもよい。
【００５５】
（実施形態２）
実施形態２では、目標帯域の計算、波長の割り当て及び帯域の割り当ては、１回の帯域割当周期毎に行う。実施形態２の波長帯域割当方法のフローチャートを図１０に示す。実施形態２の波長帯域割当方法を図１１に示す。
【００５６】
波長帯域割当算出部３４は、各ＯＮＵ１を検出し、各ＯＮＵ１の加入サービスクラスへの加入状況を把握する（ステップＳ１２）。波長帯域割当算出部３４は、各ＯＮＵ１の加入サービスクラス及び要求帯域の履歴情報に基づいて、各ＯＮＵ１の目標帯域を計算する（ステップＳ１３）。
【００５７】
帯域要求信号受信部３１は、複数の要求帯域を各ＯＮＵ１から受け付ける（ステップＳ１４）。波長帯域割当算出部３４は、上り信号の波長を各ＯＮＵ１に割り当てる（ステップＳ１５）。波長帯域割当算出部３４は、上り信号の各波長において、大きい要求帯域と等しい帯域を１つのＯＮＵ１に割り当て、小さい要求帯域と等しい帯域を他のＯＮＵ１に割り当てる（ステップＳ１６）。波長切替指示信号送信部３３は、上り信号の波長について各ＯＮＵ１に変更の指示をする（ステップＳ１７）。送信許可信号送信部３２は、上り信号の各波長において、大きい要求帯域と等しい帯域を１つのＯＮＵ１に通知し、小さい要求帯域と等しい帯域を他のＯＮＵ１に通知する（ステップＳ１８）。つまり、複数リクエスト方式の動的帯域割当方法が、ＬＣ４−１、４−２においてそれぞれ行なわれる。
【００５８】
波長帯域割当算出部３４は、各ＯＮＵ１の加入サービスクラス及び要求帯域の履歴情報に基づいて、各ＯＮＵ１の目標帯域を再び計算する（ステップＳ１３）。波長帯域割当算出部３４は、上り信号の波長を各ＯＮＵ１に再び割り当てる（ステップＳ１５）。波長切替指示信号送信部３３は、上り信号の波長について各ＯＮＵ１に再び変更の指示をする（ステップＳ１７）。このように、ステップＳ１３〜Ｓ１８を繰り返す。
【００５９】
ここで、２回目以降のステップＳ１５において、実際に割り当てられた累積帯域から目標として割り当てられた目標帯域を減算した減算帯域を計算し、減算帯域が最も小さいＯＮＵ１（つまり、最も損をしているＯＮＵ１）及び減算帯域が最も大きいＯＮＵ１（つまり、最も得をしているＯＮＵ１）に対して、割り当てる上り信号の波長を入れ替えてもよい。これにより、遅延に関する各ＯＮＵ１間の品質差を簡便に抑制することができる。
【００６０】
そして、２回目以降のステップＳ１５において、実際に割り当てられた累積帯域から目標として割り当てられた目標帯域を減算した減算帯域を計算し、減算帯域が最も小さいＯＮＵ１（つまり、最も損をしているＯＮＵ１）に対して、減算帯域が最も大きいＯＮＵ１（つまり、最も得をしているＯＮＵ１）に割り当てられている上り信号の波長に、割り当てる上り信号の波長を変更してもよい。これにより、遅延に関する各ＯＮＵ１間の品質差を簡便に抑制することができる。
【００６１】
さらに、２回目以降のステップＳ１５において、実際に割り当てられた累積帯域から目標として割り当てられた目標帯域を減算した減算帯域に関わらず、上り信号の各波長を割り当てる各ＯＮＵ１に目標として割り当てた目標帯域の和が、上り信号の各波長に割り当てる帯域を越えないように、上り信号の各波長を各ＯＮＵ１に割り当ててもよい。これにより、遅延に関する各ＯＮＵ１間の品質差を確実に抑制することができる。
【００６２】
図１１では、Ｘで示したＬＣ４及びＯＮＵ１の紐付け変更において、ＯＮＵ１−１、１−２、１−３、１−４がＬＣ４−１に収容され、ＯＮＵ１−５、１−６、１−７、１−８がＬＣ４−２に収容される。そして、Ｙで示したＬＣ４及びＯＮＵ１の紐付け変更において、ＯＮＵ１−１、１−３、１−６、１−８がＬＣ４−１に収容され、ＯＮＵ１−２、１−４、１−５、１−７がＬＣ４−２に収容される。このように、ＬＣ４及びＯＮＵ１の紐付け変更において、ＬＣ４−１、４−２からそれぞれ複数のＯＮＵ１が移動してもよい。
【００６３】
（波長帯域割当プログラム及びそれを記録した記録媒体）
実施形態１、２において、ＯＬＴ２の動的波長帯域割当回路３（特に、波長帯域割当算出部３４）の機能及びＯＮＵ１の帯域要求部１５の機能は、図示しない記憶部に記憶されたプログラムを実行することで実現するようになっている。ここで、上記記憶部は、ハードディスク装置、光磁気ディスク装置及びフラッシュメモリ等の不揮発性メモリ、並びにＲＡＭ（Ｒａｎｄｏｍ  Ａｃｃｅｓｓ  Ｍｅｍｏｒｙ）等の揮発性のメモリ、あるいはこれらの組み合わせにより構成されるものとする。また、上記記憶部は、インターネット等のネットワークや電話回線等の通信回線を介してプログラムが送信された場合のサーバや、クライアントとなるコンピュータシステム内部の揮発性メモリ（ＲＡＭ）のように一定時間プログラムを保持しているものも含む。
【００６４】
また、上記プログラムは、このプログラムを記憶装置等に格納したコンピュータシステムから、伝送媒体を介してあるいは伝送媒体中の伝送波により、他のコンピュータシステムに伝送されてもよい。ここで、プログラムを伝送する「伝送媒体」は、インターネット等のネットワークや電話回線等の通信回線のように、情報を伝送する機能を有する媒体のことをいう。また、上記プログラムは、上述した処理の一部を実現するためのものであってもよい。さらに、上記プログラムは、上述した処理をＯＬＴ２の動的波長帯域割当回路３（特に、波長帯域割当算出部３４）及びＯＮＵ１の帯域要求部１５に既に記録されているプログラムとの組み合わせで実現できるもの、いわゆる差分ファイル（差分プログラム）であってもよい。
【産業上の利用可能性】
【００６５】
本発明に係る波長帯域割当方法、波長帯域割当プログラム及びそれを記録した記録媒体は、ＷＤＭ／ＴＤＭ−ＰＯＮにおいて、遅延に関する各ＯＮＵ間の品質差を抑制しつつ、複数の波長の総帯域を各ＯＮＵへ有効に割り当て可能とする動的波長帯域割り当てを実現するための、複数リクエスト方式を用いた動的波長帯域割当方法を提供できる。
【符号の説明】
【００６６】
１：ＯＮＵ
２：ＯＬＴ
３：動的波長帯域割当回路
４：ＬＣ
５：伝送路
６：スプリッタ
７：伝送路
１１：パケットデータ受信部
１２：容量カウンタ部
１３：バッファメモリ部
１４：容量管理部
１５：帯域要求部
１６：パケットデータ送信部
１７：波長変更指示信号受信部
１８：波長切替部
３１：帯域要求信号受信部
３２：送信許可信号送信部
３３：波長切替指示信号送信部
３４：波長帯域割当算出部
【図１】
2013108577.tif 000003
【図２】
2013108577.tif 000004
【図３】
2013108577.tif 000005
【図４】
2013108577.tif 000006
【図５】
2013108577.tif 000007
【図６】
2013108577.tif 000008
【図７】
2013108577.tif 000009
【図８】
2013108577.tif 000010
【図９】
2013108577.tif 000011
【図１０】
2013108577.tif 000012
【図１１】
2013108577.tif 000013
【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
一の局側装置に複数の加入者装置が接続され、前記各加入者装置は予め用意された複数の波長のうちいずれかの波長の上り信号を前記局側装置に送信し、前記局側装置は予め用意された複数の波長のうちいずれの波長の上り信号も前記各加入者装置から受信する受動光通信網において、前記局側装置が行なう波長帯域割当方法であって、
上り信号の複数の波長が有する全帯域を、前記各加入者装置の加入サービスクラスに応じて前記各加入者装置に基準帯域として分配し、分配した基準帯域に基づいて、前記各加入者装置に目標として割り当てる目標帯域を計算する目標帯域計算ステップと、
上り信号の各波長を割り当てる前記各加入者装置に目標として割り当てた目標帯域の和が、上り信号の各波長の割り当て可能帯域を越えないように、上り信号の各波長を前記各加入者装置に割り当てる波長割当ステップと、
前記各加入者装置に実際に割り当てた累積平均帯域が、前記各加入者装置に目標として割り当てた目標帯域に収束するように、上り信号の各波長において、前記各加入者装置から受け付けた複数の要求帯域のうちいずれかの帯域に基づいて、帯域を前記各加入者装置に割り当てる帯域割当ステップと、
を順に備えることを特徴とする波長帯域割当方法。
【請求項２】
前記目標帯域計算ステップは、分配した基準帯域及び前記各加入者装置が要求した要求帯域の履歴情報に基づいて、前記各加入者装置に目標として割り当てる目標帯域を計算することを特徴とする請求項１に記載の波長帯域割当方法。
【請求項３】
前記波長割当ステップは、上り信号の各波長を割り当てる前記各加入者装置に目標として割り当てた目標帯域の和が、上り信号の各波長に対して略均等となるように、上り信号の各波長を前記各加入者装置に割り当てることを特徴とする請求項１又は請求項２に記載の波長帯域割当方法。
【請求項４】
前記波長割当ステップは、実際に割り当てられた累積平均帯域から目標として割り当てられた目標帯域を減算した減算帯域を計算し、減算帯域が最も小さい加入者装置及び減算帯域が最も大きい加入者装置に対して、割り当てる上り信号の波長を入れ替えることを特徴とする請求項１から請求項３のいずれかに記載の波長帯域割当方法。
【請求項５】
前記波長割当ステップは、実際に割り当てられた累積平均帯域から目標として割り当てられた目標帯域を減算した減算帯域を計算し、減算帯域が最も小さい加入者装置に対して、減算帯域が最も大きい加入者装置に割り当てられている上り信号の波長に、割り当てる上り信号の波長を変更することを特徴とする請求項１から請求項３のいずれかに記載の波長帯域割当方法。
【請求項６】
前記波長割当ステップは、実際に割り当てられた累積平均帯域から目標として割り当てられた目標帯域を減算した減算帯域に関わらず、上り信号の各波長を割り当てる前記各加入者装置に目標として割り当てた目標帯域の和が、上り信号の各波長の割り当て可能帯域を越えないように、上り信号の各波長を前記各加入者装置に割り当てることを特徴とする請求項１から請求項３のいずれかに記載の波長帯域割当方法。
【請求項７】
前記目標帯域計算ステップ及び前記波長割当ステップは、複数回の帯域割当周期毎に行い、前記帯域割当ステップは、１回の帯域割当周期毎に行うことを特徴とする請求項４から請求項６のいずれかに記載の波長帯域割当方法。
【請求項８】
前記目標帯域計算ステップ、前記波長割当ステップ及び前記帯域割当ステップは、１回の帯域割当周期毎に行うことを特徴とする請求項４から請求項６のいずれかに記載の波長帯域割当方法。
【請求項９】
一の局側装置に複数の加入者装置が接続され、前記各加入者装置は予め用意された複数の波長のうちいずれかの波長の上り信号を前記局側装置に送信し、前記局側装置は予め用意された複数の波長のうちいずれの波長の上り信号も前記各加入者装置から受信する受動光通信網において、前記局側装置に、
上り信号の複数の波長が有する全帯域を、前記各加入者装置の加入サービスクラスに応じて前記各加入者装置に基準帯域として分配し、分配した基準帯域に基づいて、前記各加入者装置に目標として割り当てる目標帯域を計算する目標帯域計算手順と、
上り信号の各波長を割り当てる前記各加入者装置に目標として割り当てた目標帯域の和が、上り信号の各波長の割り当て可能帯域を越えないように、上り信号の各波長を前記各加入者装置に割り当てる波長割当手順と、
前記各加入者装置に実際に割り当てた累積平均帯域が、前記各加入者装置に目標として割り当てた目標帯域に収束するように、上り信号の各波長において、前記各加入者装置から受け付けた複数の要求帯域のうちいずれかの帯域に基づいて、帯域を前記各加入者装置に割り当てる帯域割当手順と、
を順に実行させることを特徴とする波長帯域割当プログラム。
【請求項１０】
一の局側装置に複数の加入者装置が接続され、前記各加入者装置は予め用意された複数の波長のうちいずれかの波長の上り信号を前記局側装置に送信し、前記局側装置は予め用意された複数の波長のうちいずれの波長の上り信号も前記各加入者装置から受信する受動光通信網において、前記局側装置に、
上り信号の複数の波長が有する全帯域を、前記各加入者装置の加入サービスクラスに応じて前記各加入者装置に基準帯域として分配し、分配した基準帯域に基づいて、前記各加入者装置に目標として割り当てる目標帯域を計算する目標帯域計算手順と、
上り信号の各波長を割り当てる前記各加入者装置に目標として割り当てた目標帯域の和が、上り信号の各波長の割り当て可能帯域を越えないように、上り信号の各波長を前記各加入者装置に割り当てる波長割当手順と、
前記各加入者装置に実際に割り当てた累積平均帯域が、前記各加入者装置に目標として割り当てた目標帯域に収束するように、上り信号の各波長において、前記各加入者装置から受け付けた複数の要求帯域のうちいずれかの帯域に基づいて、帯域を前記各加入者装置に割り当てる帯域割当手順と、
を順に実行させることを特徴とする波長帯域割当プログラムを記録した記録媒体。
【国際調査報告】
2013108577.tif 000014
2013108577.tif 000015
2013108577.tif 000016
2013108577.tif 000017